(57)【要約】【課題】  操作パネルの大型化において、操作部材の位置決め精度の低下を防止する。【解決手段】  支持体１０は４つの支持部材１１〜１４をそれぞれ板ばね部材で構成された弾性連結部材２０〜２３により連結されて、一体的に形成されている。各支持部材には、位置決め部材１８ａが表側に突出して形成され、操作部材８ａが位置決め部材に緩嵌合されて位置決め、支持される。支持体は操作部材を表示操作パネル２の開口部６に位置決めしつつ、支持体外周部の支持体側係合部２４ａ〜２７がケース本体４の裏側に設けたケース側係合部３１ａ〜３３ｂと結合されることによりケース本体に固定される。これにより、各支持部材毎に係合部を拘束の原点として位置決めされるので、操作パネルが大型化しても各操作部材の位置決め精度は低下することがない。【選択図】        図５
2006232129.tif 000002
【特許請求の範囲】
【請求項１】
電気機器の操作パネル（２）に設けられた開口部（６）に前記電気機器の操作のための操作部材（８ａ〜８ｃ、９ｄ〜９ｑ）を位置決めする支持体（１０）であって、前記支持体は、
２次元の支持面方向に配列される複数の支持部材（１１〜１４）と、
前記隣り合う支持部材を互いに前記支持面方向に変位可能に連結する弾性連結部材（２０〜２３）と、
前記複数の支持部材の少なくとも１つに設けられ、前記操作部材を前記開口部より露出するよう位置決めする位置決め部材（１８ａ〜１８ｃ、１９ｄ〜１９ｑ）とを備え、
前記各支持部材の外周側には、前記支持体を前記操作パネルへ固定するための少なくとも１つの支持体側係合部（２４ａ、２４ｂ、２５ａ〜２５ｃ、２６、２７）が設けられていることを特徴とする支持体。
【請求項２】
前記支持体側係合部は、前記支持体において前記支持面内の直交する２方向となる２対の位置のうち少なくとも１対の位置に形成されていることを特徴とする請求項１に記載の支持体。
【請求項３】
前記弾性連結部材は、前記隣り合う支持部材のそれぞれに一体化された板ばね部材（２０〜２３）にて構成されていることを特徴とする請求項１または２に記載の支持体。
【請求項４】
前記弾性連結部材は、樹脂材料の一体成形にて前記各支持部材に一体化されていることを特徴とする請求項１ないし３のいずれか１つに記載の支持体。
【請求項５】
前記位置決め部材は、前記操作部材の凹部（８２）に緩嵌合するよう前記支持部材より前記支持面と交わる方向に突出して形成された中空部材（１８ａ〜１８ｃ、１９ｄ〜１９ｑ）であることを特徴とする請求項１ないし４のいずれか１つに記載の支持体。
【請求項６】
電気機器の操作のための操作部材（８ａ〜８ｃ、９ｄ〜９ｑ）を有する操作パネル（２）であって、
意匠表皮部（５）側に前記操作部材を露出させるための開口部（６）が設けられるとともに、前記意匠表皮部とは反対の裏側には複数のケース側係合部（３１ａ、３１ｂ、３２ａ〜３２ｃ、３３ａ、３３ｂ）が形成されたケース本体（４）と、
請求項１ないし５のいずれか１つに記載の支持体（１０）とを備え、
前記支持体は、前記ケース本体の裏側から前記ケース本体に収納されるとき、前記ケース側係合部と前記支持体側係合部とが互いに係合することにより前記ケース本体に前記支持体が固定されることを特徴とする操作パネル。
【請求項７】
電気機器の操作のための操作部材（８ａ〜８ｃ、９ｄ〜９ｑ）を有する操作パネル（２）の組付構造であって、
意匠表皮部（５）側に前記操作部材を露出させるための開口部（６）が設けられるとともに、前記意匠表皮部とは反対の裏側には複数のケース側係合部（３１ａ、３１ｂ、３２ａ〜３２ｃ、３３ａ、３３ｂ）が形成されたケース本体（４）と、
２次元の支持面方向に配列される複数の支持部材（１１〜１４）と、前記隣り合う支持部材を互いに前記支持面方向に変位可能に連結する弾性連結部材（２０〜２３）と、前記複数の支持部材の少なくとも１つに設けられ、前記操作部材の凹部（８２）に緩嵌合するよう前記支持部材より前記支持面と交わる方向に突出して形成された中空部材で構成され、前記操作部材を前記開口部より露出するよう位置決めする位置決め部材（１８ａ〜１８ｃ、１９ｄ〜１９ｑ）とを備え、前記各支持部材の外周側には、前記支持体を前記操作パネルへ固定するための少なくとも１つの支持体側係合部（２４ａ、２４ｂ、２５ａ〜２５ｃ、２６、２７）が設けられている支持体（１０）と、
前記操作部材の配置位置に対応してスイッチ部材（４１）と発光素子（４２）とが設けられた回路基板（４０）とを備え、
前記支持体は、前記ケース本体の裏側から前記ケース本体に収納されるとき、前記ケース側係合部と前記支持体側係合部とが互いに結合することにより前記ケース本体に前記支持体が固定されるとともに、前記操作部材は前記位置決め部材に緩嵌合した状態で前記開口部より前記意匠表皮部側に露出し、
前記回路基板は、前記操作部材が前記スイッチ部材と当接するよう、かつ、前記発光素子が前記中空部材の中空部（１５ａ〜１５ｑ）に位置するよう、前記ケース本体との間に前記支持体を挟んで前記ケース本体に収納されることを特徴とする操作パネルの組付構造。
【発明の詳細な説明】
【技術分野】
【０００１】
本発明は、電気機器の操作を行うための操作部材を操作パネルの意匠表皮部の所定位置に位置決めするための支持体、その支持体を備えた操作パネルおよび操作パネルの組付構造に関する。
【背景技術】
【０００２】
従来より、電気機器としての、車両用空調装置やオーディオ機器、さらにはナビゲーション装置などの操作パネルにおいては、操作部材として照光式プッシュスイッチノブが用いられ、意匠面である操作パネル面にこのノブが露出するよう配置されている（例えば、特許文献１参照）。
【０００３】
この操作部材の配置は、操作パネルのケース本体とは別体のリフレクタと称する支持体に発光素子とともに操作部材を操作可能（ストローク可能）に組み付け、このリフレクタをケース本体に収納固定するようにすることにより、操作部材を操作パネルの意匠面上の所定位置に露出させていた。
【特許文献１】特開平８−９６６６１号公報
【発明の開示】
【発明が解決しようとする課題】
【０００４】
近年、車載機器が増加する一方、車室内のスペースは限られており、これに対処するために、一つの操作パネルで複数の電気機器の操作を行うことが必要となっている。そのため、操作パネルには多数の操作部材と電気機器の表示部とを配置する必要があり、操作パネルが大型化する傾向がある。これに伴い、操作部材を支持するリフレクタも大型化する必要がある。
【０００５】
しかし、リフレクタが大型化すると、操作部材の操作パネル面上での位置決め精度を維持するために、リフレクタ自体の精度とリフレクタを組み付ける操作パネルのケース本体の精度とを広い面積にわたって等しくしなければならず、製作および組み付けが困難になるという問題があった。すなわち、操作部材の位置決め精度が低下すると、操作部材回りの操作パネルとの隙間が大きくなったり、偏ったりして見栄えが悪くなるという問題が生ずる。
【０００６】
本発明は、上記点に鑑み、操作パネルの大型化において、操作部材の位置決め精度の低下を防止することを目的とする。
【課題を解決するための手段】
【０００７】
上記目的を達成するため、請求項１に記載の発明では、電気機器の操作パネル（２）に設けられた開口部（６）に電気機器の操作のための操作部材（８ａ〜８ｃ、９ｄ〜９ｑ）を位置決めする支持体（１０）であって、支持体は、２次元の支持面方向に配列される複数の支持部材（１１〜１４）と、隣り合う支持部材を互いに支持面方向に変位可能に連結する弾性連結部材（２０〜２３）と、複数の支持部材の少なくとも１つに設けられ、操作部材を開口部より露出するよう位置決めする位置決め部材（１８ａ〜１８ｃ、１９ｄ〜１９ｑ）とを備え、各支持部材の外周側には、支持体を操作パネルへ固定するための少なくとも１つの支持体側係合部（２４ａ、２４ｂ、２５ａ〜２５ｃ、２６、２７）が設けられていることを特徴とする。
【０００８】
この発明によれば、操作部材を位置決めする支持部材を、複数に分割して支持面方向に配置するとともに、隣接する支持部材間を支持面方向に変位可能な弾性連結部材により連結し、全体として一つの支持体を構成するようにしたので、支持部材の外周部に設けた支持体側係合部を、例えば、操作パネルの所定位置に固定することにより、この支持体側係合部が設けられた支持部材は、固定された支持体側係合部を原点として精度よく位置決めできるとともに、支持体を複数の部材としてではなく一つの部材として容易に扱うことができる。
【０００９】
すなわち、支持体が大きく、すなわち支持面方向の面積が大きくなっても、支持体を複数の支持部材に分割して、この支持部材の支持体側係合部を位置決め固定することにより、各支持部材間の位置誤差による変位が弾性連結部材により吸収されるので、支持体全体における各部の位置決め精度を低下させることなく維持することができる。
【００１０】
したがって、この支持部材に支持される操作部材も、原点としての支持体側係合部を固定する操作パネルに対する位置決め精度を等しくすることができ、操作パネルに対する偏りを防止することができる。
【００１１】
請求項２に記載の発明は、支持体側係合部が、支持体において支持面内の直交する２方向となる２対の位置のうち少なくとも一対の位置に形成されていることを特徴とする。
【００１２】
これにより、支持面内の方向の外力に対して、支持体全体の変形を発生しにくくすることができる。
【００１３】
なお、弾性連結部材は、請求項３に記載のように、隣り合う支持部材のそれぞれに一体化された板ばね部材（２０〜２３）にて構成することができる。
【００１４】
また、弾性連結部材は、請求項４に記載のように、樹脂材料の一体成形にて各支持部材に一体化することができる。これにより、支持体を樹脂材料の一体成形で容易に製作することができる。
【００１５】
さらに、請求項５に記載のように、位置決め部材は、操作部材の凹部（８２）に緩嵌合するよう支持部材より支持面と交わる方向に突出して形成された中空部材（１８ａ〜１８ｃ、１９ｄ〜１９ｑ）とすることができる。これにより、操作部材を位置決め部材に緩嵌合させるだけで支持体に対して容易に位置決めすることができ、さらに、中空部を設けることにより支持体を軽量化することができる。
【００１６】
請求項６に記載の発明は、電気機器の操作のための操作部材（８ａ〜８ｃ、９ｄ〜９ｑ）を有する操作パネル（２）であって、意匠表皮部（５）側に操作部材を露出させるための開口部（６）が設けられるとともに、意匠表皮部とは反対の裏側には複数のケース側係合部（３１ａ、３１ｂ、３２ａ〜３２ｃ、３３ａ、３３ｂ）が形成されたケース本体（４）と、請求項１ないし５のいずれか１つに記載の支持体（１０）とを備え、支持体は、ケース本体の裏側からケース本体に収納されるとき、ケース側係合部と支持体側係合部とが互いに係合することによりケース本体に支持体が固定されることを特徴とする。
【００１７】
これにより、支持体に設けられた支持体側係合部と操作パネルのケース本体に設けられたケース側係合部とが複数箇所で互いに係合して支持体がケース本体内に収納されるので、支持体を構成する複数の支持部材は、それらの位置誤差が弾性連結部材の変形により吸収されるので、複数の係合部をそれぞれ原点としてケース本体に対して正確に位置決めされる。
【００１８】
したがって、支持体の面積が大きくなっても、支持体各部で小さな領域ごとに精度よく位置決めすることができ、これにより、支持体各部の位置決め部材により位置決めされた操作部材は、操作パネルの開口部に対しても正確な位置決めがなされることになる。
【００１９】
請求項７に記載の発明は、電気機器の操作のための操作部材（８ａ〜８ｃ、９ｄ〜９ｑ）を有する操作パネル（２）の組付構造であって、意匠表皮部（５）側に操作部材を露出させるための開口部（６）が設けられるとともに、意匠表皮部とは反対の裏側には複数のケース側係合部（３１ａ、３１ｂ、３２ａ〜３２ｃ、３３ａ、３３ｂ）が形成されたケース本体（４）と、２次元の支持面方向に配列される複数の支持部材（１１〜１４）と、隣り合う支持部材を互いに支持面方向に変位可能に連結する弾性連結部材（２０〜２３）と、複数の支持部材の少なくとも１つに設けられ、操作部材の凹部（８２）に緩嵌合するよう支持部材より支持面と交わる方向に突出して形成された中空部材で構成され、操作部材を開口部より露出するよう位置決めする位置決め部材（１８ａ〜１８ｃ、１９ｄ〜１９ｑ）とを備え、各支持部材の外周側には、支持体を操作パネルへ固定するための少なくとも１つの支持体側係合部（２４ａ、２４ｂ、２５ａ〜２５ｃ、２６、２７）が設けられている支持体（１０）と、操作部材の配置位置に対応してスイッチ部材（４１）と発光素子（４２）とが設けられた回路基板（４０）とを備え、支持体は、ケース本体の裏側からケース本体に収納されるとき、ケース側係合部と支持体側係合部とが互いに結合することによりケース本体に支持体が固定されるとともに、操作部材は位置決め部材に緩嵌合した状態で開口部より意匠表皮部側に露出し、回路基板は、操作部材がスイッチ部材と当接するよう、かつ、発光素子が中空部材の中空部（１５ａ〜１５ｑ）に位置するよう、ケース本体との間に支持体を挟んでケース本体に収納されることを特徴とする。
【００２０】
これにより、操作部材を位置決め部材により位置決めして保持する複数の支持部材が、それぞれ操作パネルのケース本体の各係合部に対して位置決めされるので、複数の支持部材から構成される支持体の面積が大きくなっても、操作部材とケース本体の開口部との間の組み付け精度を維持することができる。また、操作部材は中空部材で構成された位置決め部材に緩嵌合しているので、回路基板上の操作部材と対応するように設けた発光素子からの光を発散させることなく中空部材を通して受光することができるとともに、操作部材にスイッチ部材の押圧を可能にする。
【００２１】
なお、上記各手段の括弧内の符号は、後述する実施形態に記載の具体的手段との対応関係を示すものである。
【発明を実施するための最良の形態】
【００２２】
以下、本発明の実施形態について図面を用いて説明する。本実施形態は、本発明を車載電気機器である空調装置およびオーディオ装置を操作するための集合操作表示装置１に適用したものである。図１は、車両の車室内前部に位置する計器盤（インストルメントパネル、図示せず）の車両左右（幅）方向の中央部付近に配置される集合操作表示装置１を示す斜視図である。なお、図中には、集合操作表示装置１の計器盤への設置方向を矢印で示している。この矢印において、表側は乗員に面した方向である。また、図２は、表示操作パネル２の意匠表皮部５の乗員側から見た平面図である。
【００２３】
この集合操作表示装置１は、全体が樹脂製のケース本体４で一体成形されている。ケース本体４の車両左右方向の中央部に表示部と操作部とを兼ね備えた表示操作パネル２が配置されている。この表示操作パネル２の左右両側には、ケース本体４に対して上下および左右方向に変位可能な可動式（浮島状）のパネル部材３ａ、３ｂが配置されている。
【００２４】
表示操作パネル２の乗員に面した意匠表皮部５には、複数の開口部６が設けられ、それらの開口部６より、空調用表示板７ａ、オーディオ用表示板７ｂと、操作部材としての空調操作用ノブ８ａ〜８ｃ、オーディオ操作用ノブ９ｄ〜９ｑが乗員側に面して表れて（露出して）いる。
【００２５】
すなわち、各表示板７ａ、７ｂの表示面は意匠表皮部５の凸状表面よりやや奥まった位置に配置され、各ノブ８ａ〜８ｃ、９ｄ〜９ｑは乗員による操作性を考慮して意匠表皮部５の表面よりわずかに突出するよう配置されている。さらに、各ノブ８ａ〜８ｃ、９ｄ〜９ｑは、乗員の押圧操作が可能となるよう、開口部６とノブ８ａ〜８ｃ、９ｄ〜９ｑの外周部との間に微小な間隙が設けられている。
【００２６】
このように、本発明において、操作部材（８ａ〜８ｃ、９ｄ〜９ｑ）が表示操作パネル２の開口部６より露出するとは、必ずしもノブの意匠面８１が意匠表皮部５の表面より乗員側に突出することのみを言うのではなく、意匠面８１は意匠表皮部５よりも奥まっていてもよく、要は乗員に、操作しやすいようにノブの意匠面８１が表示操作パネル２の意匠表皮部５と区別されるように表れていればよい。
【００２７】
図３は、支持体１０の表側から見た支持面における平面図である。この支持体１０は、表示操作パネル２の裏側にケース本体４内に固定配置され、ノブ８ａ〜８ｃ、９ｄ〜９ｑを表示操作パネル２の各開口部６に位置決めしつつ、操作可能に支持するものである。
【００２８】
本実施形態においては、支持体１０は、表示操作パネル２の上下方向において、空調用表示板７ａを除く、空調用表示板７ａの下の空調操作用ノブ８ａ〜８ｃ列から下方のオーディオ用操作ノブ９ｇ〜９ｋの列までをカバーするものである。
【００２９】
支持体１０は、分離形成された４つの支持部材１１〜１４と、これら支持部材間を連結する弾性連結部材２０〜２３とを備えている。
【００３０】
各支持部材１１〜１４は、オーディオ用表示板７ｂを配置するための矩形空間１０ａの周囲に、２次元平面である支持面方向に配列され、全体としてほぼ矩形形状（縦×横＝約０．１×０．２（ｍ））の支持体１０を形成している。
【００３１】
支持部材１１は、支持体１０の上辺部の、空調操作用ノブ８ａ、８ｂ、８ｃをそれぞれ支持、位置決めする位置決め部材１８ａ、１８ｂ、１８ｃと、各位置決め部材１８ａ、１８ｂ、１８ｃの近傍に突起部挿入口１６ａ、１６ｂ、１６ｃとが設けられている。
【００３２】
位置決め部材１８ａ、１８ｂ、１８ｃは、支持部材の支持面からこの支持面と交わる方向（詳しくは直交する方向）へ突出する中空部材により構成される。ノブ８ａ、８ｂ、８ｃは、それぞれ凹部８２が形成され、この凹部８２が位置決め部材１８ａ、１８ｂ、１８ｃと緩嵌合して、支持部材１１に支持される。なお、位置決め部材１８ａ、１８ｂ、１８ｃの外周部およびノブ８ａ、８ｂ、８ｃの内周部には、それぞれ、緩嵌合可能に相互の摺動時の位置ずれを抑制するための凹凸が形成されている。
【００３３】
この位置決め部材１８ａ、１８ｂ、１８ｃの中空部１５ａ、１５ｂ、１５ｃは、支持体１０の表と裏とを貫通するように形成されており、後述する回路基板４０に設けられた発光素子４２からの光が、この中空部１５ａ、１５ｂ、１５ｃを導波路（リフレクタ）として支持体１０の表側、すなわち各ノブ８ａ、８ｂ、８ｃの意匠面８１へと導かれる。
【００３４】
突起部挿入口１６ａ、１６ｂ、１６ｃは、貫通孔であって、ノブ８ａ、８ｂ、８ｃの突起部８３が挿入されて回路基板４０上のスイッチ部材４１に当接するよう設けられている。
【００３５】
なお、ノブ８ｂはシーソー型のスイッチをなし、ノブ８ｂの意匠面８１における３つの表示部に対応して中空部１５ｂは３つ、および、２つのスイッチ部材４１に対応して突起部挿入口１６ｂは２つ、それぞれ設けられている。また、ノブ８ｃは、通常のプッシュ式スイッチであるが、２つの異なる色の光源のために中空部１５ｃも２つ設けられている。
【００３６】
さらに支持部材１１には、１対の支持体側係合部２４ａ、２４ｂが、支持部材１１の長手方向、すなわち支持面の横方向における支持体１０の外周部に相当する位置に設けられている。支持体側係合部２４ａ、２４ｂは、支持面方向に凹状に形成されている。この支持体側係合部２４ａ、２４ｂが、ケース本体４の裏側に設けられたケース側係合部３１ａ、３１ｂと嵌合することにより支持部材１１がケース本体４に固定される。
【００３７】
なお、各支持部材において、その外周部に設けられる支持体側係合部は、支持部材が外力に対して変位しにくくするために、本来、直交する２軸（縦および横）方向にそれぞれ１対（計４箇所）設けることが望ましい。しかし、スペース上の制約および意匠上の制約により、必ずしも４箇所に設けることが困難な場合がある。そのような場合には、少なくとも支持体１０の外形に加わる外力に対して抗力を発揮できるよう、支持体１０の外周部の支持面内の直交する２方向となる２対の位置のうち少なくとも１対の位置（支持部材１１における２４ａ、２５ｂ）に設けることが望ましい。
【００３８】
支持部材１２は、支持体１０の下辺部の、オーディオ操作用ノブ９ｄ、９ｅ、９ｆ、９ｇ、９ｈ、９ｉ、９ｊ、９ｋをそれぞれ支持、位置決めする位置決め部材１９ｄ、１９ｅ、１９ｆ、１９ｇ、１９ｈ、１９ｉ、１９ｊ、１９ｋと、各位置決め部材１９ｄ、１９ｅ、１９ｆ、１９ｇ、１９ｈ、１９ｉ、１９ｊ、１９ｋの近傍に突起部挿入口１６ｄ、１６ｅ、１６ｆ、１６ｇ、１６ｈ、１６ｉ、１６ｊ、１６ｋが設けられている。
【００３９】
各位置決め部材、中空部および突起部挿入口は上記支持部材１１におけるものと同様であるので、説明を省略する。なお、３つの位置決め部材１９ｈ、１９ｉ、１９ｊに支持されるノブ９ｈ、９ｉ、９ｊは、一つの開口部６内に集中して位置決めされる。
【００４０】
この支持部材１２における支持体側係合部２５ａ、２５ｂ、２５ｃは、横方向の１対の位置に支持体側係合部２５ａ、２５ｂが設けられ、縦方向には、スペース上の制約から横方向の中央付近に下辺側のみに１つの支持体側係合部２５ｃが設けられている。
【００４１】
すなわち、支持部材１２においては、３箇所の係合部２５ａ、２５ｂ、２５ｃにより支持部材１２全体の変位を阻止することができるとともに、特に横方向の外力に対しては、１対の支持体側係合部２５ａ、２５ｂにより効果的に変位を阻止することができる。
【００４２】
支持部材１３および１４は、それぞれ、支持体１０の左辺部および右辺部のオーディオ操作用ノブ９ｍ、９ｎ、９ｐおよび９ｑをそれぞれ支持、位置決めする位置決め部材１９ｍ、１９ｎ、１９ｐおよび１９ｑと、各位置決め部材１９ｍ、１９ｎ、１９ｐおよび１９ｑの近傍に突起部挿入口１６ｍ、１６ｎ、１６ｐおよび１６ｑが設けられている。
【００４３】
各位置決め部材、中空部および突起部挿入口は上記支持部材１１、１２におけるものと同様であるので、説明を省略する。なお、３つの位置決め部材１９ｍ、１９ｎ、１９ｐに支持されるノブ９ｍ、９ｎ、９ｐは、一つの開口部６内に集中して位置決めされる。
【００４４】
これら支持部材１３、１４において支持体側係合部２６、２７は、スペース上の制約から、それぞれ１箇所のみ設けられ、かつ、支持体側係合部２６、２７は、支持体１０の外形において横方向の一対の位置に設けられている。
【００４５】
すなわち、支持部材１３、１４は、支持体１０の左辺部および右辺部においてノブの上下方向長さに対応して短くなるよう形成されているので、各支持部材１３、１４において支持体側係合部が１つのみであっても、後述する弾性連結部材２０、２２および２１、２３による他の支持部材１１、１２との間の拘束力と共同して、支持部材１３、１４の外力に対する変位を十分抑制することができる。
【００４６】
次に、弾性連結部材２０〜２３について説明する。図４は、弾性連結部材２０の図３におけるＢ矢視図である。弾性連結部材２０〜２３は、支持部材１１〜１４と一体成形される樹脂製の１対の板ばね部材であり、それぞれ線対称形状となっている。
【００４７】
弾性連結部材２０を例として説明すると、弾性連結部材２０は、隣接する支持部材１１と１３とを支持体１０の縦方向（上下方向）に連結するよう、奥行き方向（支持面とは直角方向）には一定の長さをもち、支持面方向に「Ｓ」字状に折れ曲がりながら延在して両支持部材１１、１３を連結している。この線対称のＳ字状板ばね部材により、支持部材１１と支持部材１３とは、互いに支持面方向の相対変位が許容され、奥行き方向の相対変位は拘束されている。
【００４８】
弾性連結部材２０と同様に、隣接する支持部材１１と支持部材１４との間は一対の弾性連結部材２１が連結し、隣接する支持部材１２と支持部材１３との間は一対の弾性連結部材２２が連結し、隣接する支持部材１２と支持部材１４との間は一対の弾性連結部材２３が連結している。
【００４９】
これら４つの支持部材１１〜１４間を、それぞれ互いに、支持面方向に変位を許容する弾性連結部材２０〜２３により連結することにより、各支持部材１１〜１４は外力に対して、奥行き方向への変位は抑制され、主として支持面方向に変形可能となる。
【００５０】
次に、集合操作表示装置１の組み付け方法について説明する。図５は、表示操作パネル２のケース本体４の裏側からみた組み付け順序を示す図であり、説明のためノブ８ａのみを示している。
【００５１】
支持体１０は、位置決め部材１８ａにノブ８ａを緩嵌合した状態で、ケース本体４の裏側に組み付ける。このとき、ノブ８ａは開口部６内に挿入され、意匠表皮部５に意匠面８１が露出する。また、支持体１０に設けられた支持体側係合部２４ａ、２４ｂ、２５ａ、２５ｂ、２５ｃ、２６、２７が、ケース本体４に設けられたケース側係合部３１ａ、３１ｂ、３２ａ、３２ｂ、３２ｃ、３３ａ、３３ｂとそれぞれ嵌合により結合することにより、支持体１０はケース本体４に固定される。なお、図４には示されていないが、回路基板４０はケース本体４との間で支持体１０を挟むように、ケース本体４の裏側からケース本体４および支持体１０に対して組み付けられる。
【００５２】
図６は、表示操作パネル２の組み付け後の、図２におけるＡ−Ａ断面図である。ノブ９ｇの凹部８２が、支持部材１２に設けられた中空部１５ｇを有する位置決め部材１９ｇに摺動可能に緩嵌合される。
【００５３】
このとき、回路基板４０に設けられた発光素子４２が中空部１５ｇ内に位置決め配置されるので、発光素子４２からの光は、中空部１５ｇを導波路として外に漏れることなく、ノブ９ｇの意匠面８１へと導かれる。
【００５４】
また、ノブ９ｇの下端部に設けられた突起部８３が支持部材１２の突起部挿入口１６ｇを貫通して、回路基板４０に設けられたスイッチ部材としてのタクトスイッチ４１に当接している。したがって、ノブ９ｇが使用者により押圧されると、突起部８３がタクトスイッチ４１を押し下げてスイッチ操作が行われる。
【００５５】
この支持体１０のケース本体４への組み付け固定により、各支持部材１１〜１４は、それぞれの支持体側係合部２４ａ、２４ｂ、２５ａ、２５ｂ、２５ｃ、２６、２７を拘束の原点として、弾性連結部材２０〜２３によって支持面方向の変位が許容されて、ケース本体４に対して位置決めされる。
【００５６】
すなわち、広い面積の支持体１０に対する拘束の原点が、小さい面積の支持部材１１〜１４毎に設けられるので、小さい面積の各支持部材１１〜１４における寸法誤差は小さく抑えられると共に、その寸法誤差は弾性連結部材２０〜２３における相対変位により他の支持部材１１〜１４に影響を与えることはない。
【００５７】
したがって、各支持部材１１〜１４毎のケース本体４に対する位置決め誤差を小さくすることができるので、この支持部材１１〜１４にそれぞれ位置決めされるノブ８、９の、ケース本体４に対する位置決め誤差、すなわち各開口部６に対する位置決め誤差も高いものとすることができる。これにより、支持体１０の面積が大きくなっても、表示操作パネル２の意匠表示部５における開口部６とノブ８、９との隙間を小さく保って、見栄えのよい意匠面を乗員に提示することができる。
【００５８】
しかも、支持体１０のケース本体４への固定は、一体部材としての支持体１０に設けた各支持体側係合部２４ａ、２４ｂ、２５ａ、２５ｂ、２５ｃ、２６、２７をケース本体４に設けた各ケース側係合部３１ａ、３１ｂ、３２ａ、３２ｂ、３２ｃ、３３ａ、３３ｂに結合させるのみで行うことができ、個別の調整を不要としており、組み付け作業を容易に行うことができ、製造および組み付けに要するコストを低く抑えることができる。
【００５９】
（他の実施形態）
上記実施形態において、弾性連結部材２０〜２３は「Ｓ」字状とした例を示したが、これに限らない。例えば、図７に示す形状の弾性連結部材２１０、２３０としてもよい。この弾性連結部材２１０（２３０も同様）は、支持部材１１および支持部材１４からの板ばね部材の突出方向が垂直となる垂直突出部２１１、２１２を備えている。この垂直突出部２１１、２１２により、それぞれその突出方向とは直交する方向の外力に対して最も効果的に弾性力を発生させることができる。したがって、このような弾性連結部材２１０、２３０の形状によって、支持部材１１、１２と支持部材１４との間の横方向および上下方向（図７中矢印で示す）の外力を共に効果的に吸収することができる。
【図面の簡単な説明】
【００６０】
【図１】本実施形態の表示操作パネルを備えた集合操作表示装置の外観斜視図である。
【図２】表示操作パネル部分の平面図である。
【図３】支持体の表側から見た支持面における平面図である。
【図４】図３における弾性連結部材のＢ矢視図である。
【図５】ケース本体の裏側に対する支持体の組み付け方向を示す斜視図である。
【図６】図２における操作部材部分のＡ−Ａ断面図である。
【図７】他の実施形態を示す図である。
【符号の説明】
【００６１】
２…表示操作パネル、５…意匠表皮部、６…開口部、
８（８ａ〜８ｃ）…空調操作用ノブ、９（９ｄ〜９ｑ）…オーディオ操作用ノブ、
１０…支持体、１１、１２、１３、１４…支持部材、
１５…中空部、１６…突起部挿入口、
１８（１８ａ〜１８ｃ）、１９（１９ｄ〜１９ｑ）…位置決め部材、
２０、２１、２２、２３…弾性連結部材（板ばね部材）、
２４ａ、２４ｂ、２５ａ、２５ｂ、２５ｃ、２６、２７…支持体側係合部、
３１ａ、３１ｂ、３２ａ、３２ｂ、３２ｃ、３３ａ、３３ｂ…ケース側係合部、
４０…回路基板、４１…スイッチ部材（タクトスイッチ）、４２…発光素子。
【図１】
2006232129.tif 000003
【図２】
2006232129.tif 000004
【図３】
2006232129.tif 000005
【図４】
2006232129.tif 000006
【図５】
2006232129.tif 000007
【図６】
2006232129.tif 000008
【図７】
2006232129.tif 000009